(57)【特許請求の範囲】
【請求項１】
天板及び複数の側板を備える箱状体であって、上下逆さとすることで収納箱として使用できるものであり、
複数の側板の中、少なくとも１つの側板は、部分開口構造を有し、
該部分開口構造は、側面視が傾斜状の傾斜部を有する多数の長尺状の横部材を上下方向に隣接隙間を形成して配設するものであり、該横部材の配設は、収納箱置きにおいて水平目線から最大で６０度となる角度で見下げて隣接隙間の隙間が見え、ステージボックス置きにおいて水平目線から少なくとも０度となる角度で見下げて隣接隙間が隠れるようなものであることを特徴とする収納箱兼用ステージボックス。
【請求項２】
前記横部材の配設は、ステージボックス置きにおいて水平目線から少なくとも２０度となる角度で見下げて隣接隙間が隠れるようなものであることを特徴とする請求項１記載の収納箱兼用ステージボックス。
【請求項３】
前記部分開口構造には、複数の縦部材が所定のピッチで配設され、該縦部材と前記横部材は交差部で固定され一体となっていることを特徴とする請求項１又は２記載の収納箱兼用ステージボックス。
【請求項４】
前記横部材は、上下方向における中央部の側面視が縦長の板状部と、該板状部の上端から外側斜め上方に延びる上部傾斜部と、該板状部の下端から外側斜め下方に延びる下部傾斜部とからなることを特徴とする請求項１〜３のいずれか１項に記載の収納箱兼用ステージボックス。
【請求項５】
前記下部傾斜部の前記板状部から延出する長さは、前記上部傾斜部の前記板状部から延出する長さより大であることを特徴とする請求項１〜４のいずれか１項に記載の収納箱兼用ステージボックス。
【請求項６】
前記横部材の内側は、垂直状で且つ平坦面であることを特徴とする請求項１〜５のいずれか１項に記載の収納箱兼用ステージボックス。
【請求項７】
３台を積み重ねステージボックス置きとした状態において、水平方向に２ｍ離れ、そこから垂直方向１．３ｍの位置に目がくる状態で見下げて、全ての隣接隙間が隠れることを特徴とする請求項１〜６のいずれか１項に記載の収納箱兼用ステージボックス。
【発明の詳細な説明】
【技術分野】
【０００１】
本発明は、上下逆さにして収納箱として使用する際、側板の隣接隙間から収納箱の中が見え、ステージボックスとして使用する際、ボックスの中が見えない実用性に優れた収納箱兼用ステージボックスに関するものである。
【背景技術】
【０００２】
スーパーなどの量販店においては、多量の商品を店内に搬入する際、運搬車から取り出し、商品陳列棚に陳列するまでは、通常、コンテナーが使用されている。このようなコンテナーは箱状のものであり、多くの商品を搬送するため、数個を積み重ねてキャリヤーに乗せて使用する。また、コンテナーは商品の搬送を終えると、保管する必要があり、保管場所の確保という問題が発生する。近年、コンテナーを上下逆さとすることで、ステージボックスとして使用ことが知られている。ステージボックスは商品展示台であり、コンテナーが商品展示にも使用でき、別途の保管場所も不要であり、都合がよい。
【０００３】
特開２０１３−３１５４７号公報には、陳列商品が載置される平面視が長方形の天板１と、４つの側板２とから構成される硬質プラスチック製のボックス状の収納箱兼用折り畳み商品陳列台であって、少なくとも側板２の裏面はリブ構造であり、天板１と４つの側板２とは、それぞれ係合凹部２１３及び係合凸部１４２で係合され、天板１と大側板２ａ、２ｂの上下方向における係合位置は、天板１と小側板２ｃ、２ｄの上下方向における係合位置より天板１側にあり、折り畳み後は、天板１、大側板２ａ、２ｂ及び小側板２ｃ、２ｄの順で折り重ねられるものが開示されている。本発明によれば、折り畳み構造であり、収納箱としても、また商品陳列台としても使用できる。
【先行技術文献】
【特許文献】
【０００４】
【特許文献１】特開２０１３−３１５４７号公報
【発明の概要】
【発明が解決しようとする課題】
【０００５】
しかしながら、従来の収納箱兼用商品陳列台は、複数個を準備し、積み重ねて収納箱として使用する際、下段にくる収納箱は４つの側板が、板状体であり、上方開口が塞がれているため中身が見えない。このため、収納箱を搬送する者が変わった場合、あるいは一時保存されたものを再度搬送するような場合、下方の収納箱の中身を確認する際、いちいち積み重ねられた上方の収納箱を取り去り、中身を確認する必要があった。従って、積み重ねられた収納箱であっても、外から中身を確認できる収納箱兼用商品陳列台の開発が望まれていた。なお、上記の課題は、収納箱の側板にスリットを形成することで解決できるものの、これを上下逆さにして商品陳列台として使用する場合、側板のスリットから商品陳列台の中が見えてしまう。商品陳列台の内側は本来、見せるものはなく、例えば設置面である床面が見えては意匠面及び陳列の演出面からも好ましくない。
【０００６】
従って、本発明の目的は、上下逆さにして収納箱として使用する際、側板の隙間から収納箱の中が見え、ステージボックスとして使用する際、ボックスの中が見えない収納箱兼用ステージボックスを提供することにある。
【課題を解決するための手段】
【０００７】
すなわち、本発明は、上記課題を解決したものであって、天板及び複数の側板を備える箱状体であって、上下逆さとすることで収納箱として使用できるものであり、複数の側板の中、少なくとも１つの側板は、部分開口構造を有し、該部分開口構造は、側面視が傾斜状の傾斜部を有する多数の長尺状の横部材を上下方向に隣接隙間を形成して配設するものであり、該横部材の配設は、収納箱置きにおいて水平目線から最大で６０度となる角度で見下げて隣接隙間の隙間が見え、ステージボックス置きにおいて水平目線から少なくとも０度となる角度で見下げて隣接隙間が隠れるようなものであることを特徴とする収納箱兼用ステージボックスを提供するものである。
【発明の効果】
【０００８】
本発明によれば、上下逆さにして収納箱として使用する際、側板の隣接隙間から収納箱の中が見え、ステージボックスとして使用する際、ボックスの中が見えない収納箱兼用ステージボックスを提供できる。
【図面の簡単な説明】
【０００９】
【図１】本発明の実施の形態における収納箱兼用ステージボックスの斜視図である。
【図２】図１の収納箱兼用ステージボックスを収納箱として使用する状態図である。
【図３】図１の収納箱兼用ステージボックスの部分開口構造を説明する図である。
【図４】図３の円内（符号Ｘ）の拡大図である。
【図５】図４のＹ方向から見た部分開口構造の一部の端面図である。
【図６】図４のＹ方向から見た部分開口構造の一部の側面図である。
【図７】図１の収納箱兼用ステージボックスをステージボックスとして使用する状態における部分開口構造の一部の端面図である。
【図８】部分開口構造の他の例であり、収納箱における部分開口構造の一部の端面図である。
【図９】部分開口構造の他の例であり、ステージボックスにおける部分開口構造の一部の端面図である。
【発明を実施するための形態】
【００１０】
本発明の実施の形態における収納箱兼用ステージボックス（以下、「兼用ボックス」とも言う。）を図１〜図９を参照して説明する。本明細書中、特段の断りがない限り、「上方」、「上部」、「下方」、「下部」はステージボックス置きにおける位置を言う。兼用ボックス１０は、天板１１及び複数、本例では４つの側板１２ａ〜１２ｄを備える箱状体であって、底部は開口しており上下逆さとすることで収納箱として使用できるものである。なお、図１はステージボックス置きであり、図２は収納箱置きである。ステージボックスは、商品陳列台とも称される。ステージボックスは、商品陳列台以外に、種々のものを支える脚台や踏み台としても使用できる。
【００１１】
兼用ボックス１０において、複数（４つ）の側板１２ａ〜１２ｄの中、少なくとも１つの側板、本例では４つの側板１２ａ〜１２ｄ全てが、部分開口構造２を有する。１つの側板において、部分開口構造２は側板の全体に形成されていてもよく、部分的に形成されていてもよい。１つの側板において、部分開口構造２を部分的に形成する場合、上下方向の中央部分で上下方向に対して好ましくは６０％〜９０％の領域であり、左右方向の中央部分で左右方向に対して好ましくは８０〜１００％の領域に形成される。部分開口構造２は、上下方向において部分開口構造２を１枚の側板中、部分的に形成することで、強度を維持しつつ本発明の効果を奏することができる。
【００１２】
部分開口構造２は、側面視が傾斜状の傾斜部２９を有する多数の長尺状の横部材２１ａ〜２１ｆを上下方向に隣接隙間２４を形成して配設するものである。横部材２１ａ〜２１ｆは、全て同じ形状であり、隣接する一対の横部材２１ａ、２１ｂについて図３〜図７を参照して説明する。長尺状とは、横長のものであり、縦長さ（鉛直方向長さ）に対して、横長さが５倍以上、好ましくは１０倍以上のものを言う。横部材２１は、側面視が傾斜状の傾斜部２１２ａ、２１３ａを有するものである。すなわち、図７に示すように、横部材２１ａは、上下方向における中央部の側面視が縦長の板状部２１１ａと、板状部２１１ａの上端から外側斜め上方に延びる上部傾斜部２１３ａと、板状部２１１ａの下端から外側斜め下方に延びる下部傾斜部２１２ａとからなり、側面視形状が、略横Ｕ字形状である。なお、隣接隙間とは、上下に隣接する横部材間の隙間をいう。
【００１３】
横部材２１ａの高さ寸法は、兼用ボックスの大きさや横部材の使用本数により異なり一概に決定できないものの、概ね９〜１８ｍｍ、好適には１２〜１５ｍである。また、上部傾斜部２１３ａは、板状部２１１ａの上端から１８〜２２度、好適には１９〜２１度の角度で外側斜め上方に延びており、下部傾斜部２１２ａは、板状部２１１ａの下端から１２〜１８度、好適には１４〜１６度の角度で外側斜め下方に延びている。また、図７に示すステージボックス置きにおいて、下部傾斜部２１２ａの板状部２１１ａから延出する長さは、上部傾斜部２１３ａの板状部２１１ａから延出する長さより大である。これにより、ステージボックス置きにおいて、下部傾斜部２１２ａが斜めから見下げる際の遮蔽板となる。
【００１４】
兼用ボックス１０において、２つの横部材２１ａ、２１ｂ間には隙間（隣接隙間）２４が形成される。横部材２１ａ〜２１ｆの配設は、収納箱置きにおいて斜め方向から見下げて隣接隙間２４が見え（図５）、ステージボックス置きにおいて斜め方向から見下げて隣接隙間２４が隠れる（図７）ものである。すなわち、兼用ボックス１０は、隣接隙間２４が常に人の目から見下げる位置にあるものである。横部材２１ａ、２１ｂの配設は、図５に示すように、収納箱置きにおいて水平目線Ｚ１ｈから最大で６０度（６０度以下）となる角度αで見下げて（Ｚ１方向）隣接隙間の隙間が見えるものである。この最大角度αは、横部材２１ｂの下端２１８ｂと下端２１８ｂより内側に位置する横部材２１ｂと隣接する下方の横部材２１ａの後端２１８ａとを接続する線がＺ１方向となる角度である。なお、図５において、符号２１８ａ及び２１８ｂは、横部材２１ｅ、２１ｆに引いているが、横部材２１ａ、２１ｂにおいても同様である。また、横部材２１ａ、２１ｂの配設は、ステージボックス置きにおいて水平目線Ｚ２ｈから少なくとも０度、好適には少なくとも２０度（図７では２５度）となる角度αで見下げて（Ｚ２方向）隣接隙間が隠れるものである。この角度βは、横部材２１ａの下端２１９ａと下端２１９ａより内側に位置する横部材２１ａと隣接する下方の横部材２１ｂの後端２１９ｂとを接続する線がＺ２方向となる角度である。ステージボックスは、通常、１段又は２段の積み重ね、多くても３段の積み重ね使用である。このため、ステージボックスは、３台を積み重ねのステージボックス置きとした状態において、水平方向に２ｍ離れ、そこから垂直方向１．３ｍの位置に目がくる状態で見下げて、全ての隣接隙間が隠れるものである。垂直方向１．３ｍは作業者及び顧客の身長を加味した数値である。垂直方向１．３ｍ以上の目線（目の高さ）を有する作業者及び顧客であれば、当然に隣接隙間２４は隠れる。また、隣接隙間２４は、側面視（水平目線）において、最大５ｍｍ程度、好ましくは最大３ｍｍ程度の隙間であってもよい。ステージボックス使用においては、例え３台の積み重ねであっても、作業者及び顧客の目線は水平視線とならないからである。また、１本の横部材の高さは１０〜１５ｍｍ、好適には１１〜１４ｍｍ、横部材の左右方向の長さ（最大厚み）は１０〜１５ｍｍ、好適には１１〜１４ｍｍ程度でよい。
【００１５】
横部材２１ａ〜２１ｆは、収納箱置きにおいて斜め方向から見下げて隣接隙間２４が見える（図５）。このため、兼用ボックス１０を複数個を準備し、積み重ねて収納箱として使用する際、下段にくる収納箱は上方開口１３が塞がれていても、作業者は隣接隙間２４から中身を見ることができる（図５中、Ｚ１方向）。このため、収納箱を搬送する者が変わった場合、あるいは一時保存されたものを再度搬送するような場合、収納箱の中身をいちいち確認することなく、瞬時に収納箱の中身を確認することができる。また、横部材２１ａ〜２１ｆは、ステージボックス置きにおいて斜め方向から見下げて隣接隙間２４が隠れる（図７）。これにより、ステージボックスは、その内側が見られず、例えば設置面である床面などが見えないため、意匠面及び陳列の演出面からも好ましい。
【００１６】
兼用ボックス１０において、部分開口構造２には、複数の縦部材２２ａ〜２２ｃが所定のピッチで配設され、縦部材２２ａ〜２２ｃと横部材２１ａ〜２１ｆは交差部で固定されている。これにより、部分開口構造２の強度が向上する。
【００１７】
部分開口構造２において、図６に示すように、横部材２１ａ〜２１ｇと縦部材２２ａ〜２２ｃとが交差し、且つ横部材２１ａ〜２１ｇの両端は兼用ボックス１０のコーナー支柱に固定され、縦部材２２ａ〜２２ｃは下部桟部材２３ｂ及び上部桟部材２３ａに固定されるため、補強部材（リブ部材）として機能する。すなわち、図６に示すように、横部材２１ａ〜２１ｇの側面視形状が特定の略横Ｕ字形状であるため、縦部材２２ａ〜２２ｃとの接合面積が大となる。このため、横部材２１ａ〜２１ｇの固定強度が高まり、部分開口構造２の強度が高まる。また、横部材２１ａの内側２５ａは、垂直状で且つ平坦面である。これにより、兼用ボックス１０を収納箱として使用する場合、収納箱に収納された商品を傷つけることがない。横部材２１ａの内側２５ａとは、兼用ボックス１０の中に向く側を言う。
【００１８】
なお、一枚の側板１２ａ中、部分開口構造２の上方は、上部桟部材２３ａであり、部分開口構造２の下方は、下部桟部材２３ｂである。上部桟部材２３ａ及び下部桟部材２３ｂは、１枚の側板において部分開口構造２のそれぞれ下方及び上方に位置する。上部桟部材２３ａは上端が天板１１に固定され、下端には縦部材２２ａ〜２２ｃの一端が固定され、所定の厚み（側板の厚み）を有し、４つの上部桟部材２３ａで四角枠を形成しており、内部はリブ構造である。また、下部桟部材２３ｂは上端には縦部材２２ａ〜２２ｃの他端が固定され、所定の厚み（側板の厚み）を有し、４つの下部桟部材２３ｂで四角枠を形成しており、内部はリブ構造である。兼用ボックス１０は、このような構造を有するため、押圧に強い強度を有し、ステージボックスに使用できる。
【００１９】
部分開口構造２の他の変形例について、図８及び図９を参照して説明する。図８は収納箱置きであり、図９はステージボックス置きである。図８及び図９において、図１〜図５と同一構成要素には同一符号を付して、その説明を省略し、異なる点について主に説明する。すなわち、部分開口構造２ａにおいて、部分開口構造２と異なる点は、横部材の形状である。すなわち、横部材３１ａ〜３１ｆは長尺状部材であって、略矩形状の板状部材を斜め置きとしたものである。また、横部材３１ａの内側の面３１１ａは、垂直状で且つ平坦面である。これにより、兼用ボックス１０を収納箱として使用する場合、収納箱に収納された商品を傷つけることがない。横部材３１ａ〜３１ｆは、縦部材２２ａ〜２２ｃとの接合面積が横部材２１ａ〜２１ｆと比べると小であるため、固定強度が強くないものの、部分開口構造２と同様の作用効果を奏する。本例における横部材３１ａ、３１ｂの配設は、ステージボックス置きにおいて水平目線Ｚ２ｈから０度となる角度αで見て（Ｚ２方向）隣接隙間が隠れるものである。すなわち、ステージボックス置きにおいて水平目線Ｚ２ｈから０度以上の角度αで見下げて隣接隙間が隠れる。この角度β（ゼロ角度）は、横部材３１ａの下端２１９ａと下端２１９ａより内側に位置する横部材３１ａと隣接する下方の横部材３１ｂの後端２１９ｂとを接続する線がＺ２方向となる角度である。なお、図９においては、Ｚ２及びＺ２ｈ線は横部材３１ｃ、３１ｄに引いているが、横部材３１ａ、３１ｂ間でも同様である。
【００２０】
次に、兼用ボックス１０の使用方法について説明する。まず、図１に示すように兼用ボックス１０をステージボックスとして使用する。図１はひとつの兼用ボックスであるが、複数個を準備し、積み重ね使用してもよい。また、積み重ね方法は種々あり、雛壇状などを形成することもできる。兼用ボックス１０の天板１１上には、商品が陳列される。兼用ボックス１０の部分開口構造２は、図７に示すように、作業者や顧客の目線からは隣接隙間２４が見えない。このため、意匠性に優れ、陳列の演出効果を阻害しない。また、部分開口構造２は、特定の断面形状を有する横部材と縦部材で補強されており、商品の重さに十分耐えうる。
【００２１】
次に、図２に示すように兼用ボックス１０を収納箱として使用する。図２はひとつの兼用ボックスであるが、複数個を準備し、積み重ね使用してもよい。兼用ボックス１０において、上方の開口１３から商品が投入され、ボックス中に商品が収容される。兼用ボックス１０の部分開口構造２は、図４及び５に示すように、作業者や顧客の目線から隣接隙間２４が見える。このため、兼用ボックス１０を積み重ねて収納箱として使用する際、下段にくる収納箱であっても、作業者は隣接隙間２４から中身を見ることができる。このため、収納箱を搬送する者が変わった場合、あるいは一時保存されたものを再度搬送するような場合、収納箱の中身をいちいち確認することなく、瞬時に収納箱の中身を確認することができる。
【００２２】
本発明の兼用ボックスは、天板及び複数の側板を備える箱状体であり、複数の側板は、前記実施の形態例の４つに限定されず、３つ又は５つであってもよい。側板が３つの場合は、平面視が三角形、側板が５つの場合は、平面視が五角形である。本発明の兼用ボックスにおいて、縦部材の設置本数は、兼用ボックスの大きさにより一概には決定できないものの、上記実施の形態例の３本に限定されず、２本又は４本以上であってもよい。本数が多くなり過ぎると、隙間が小さくなる点で好ましくない。本発明の兼用ボックスにおいて、横部材の設置本数は、兼用ボックスの大きさにより一概には決定できないものの、上記実施の形態例の６本に限定されず、４本又は５本若しくは７本以上であってもよい。また、本発明の兼用ボックスにおいて、図１及び図２に示すように、４つの側板の中、小さな２つの側板１２ｃ、１２ｄには、把持用の貫通孔１４が形成されていてもよい。
【００２３】
本発明の兼用ボックスは、折り畳み自在であってもよい。折り畳み方法は、側板が内側に折り畳まれる公知の方法が適用できる。すなわち、先ず小さな２つの側板を内側に折り畳み、次いで、大きな２つの側板を内側に折り畳む方法である。本発明の兼用ボックスにおいて、側板中の部分開口構造２における横部材の外側端及び内側端は、上部桟部材２３ａ及び下部桟部材２３ｂがある場合、上部桟部材２３ａ及び下部桟部材２３ｂの外側端及び内側端と面一若しくは上部桟部材２３ａ及び下部桟部材２３ｂの外側端及び内側端より内側（側板における内部方向）に引っ込んでいるものが好ましい。横部材は長尺状の桟部材であり、これが側面より突出している部分があると、意図せぬ外力により破損等が起こることがあるからである。
【００２４】
本発明において、側面視が傾斜状の傾斜部とは、上記実施の形態例のような厚みが均一な平板部が傾斜状に配置された傾斜部に限定されず、厚みが不均一な板状部が傾斜状に配置された傾斜部であってもよい。不均一な板状部とは、板状部の一方又は両方の板状面が凸状又はアーチ状のもの、特に扁平状の楕円断面などの板状部が挙げられる。
【符号の説明】
【００２５】
２、２ａ        部分開口構造
４              隣接隙間
１０              収納箱兼用ステージボックス（兼用ボックス）
１１              天板
１２ａ〜１２ｄ    側板
２１ａ〜２１ｇ    横部材
２２ａ〜２２ｃ    縦部材
２３ａ            上部桟部材
２３ｂ            下部桟部材
２１１ａ          中央部の板状部
２１２ａ          下部傾斜部
２１３ａ          上部傾斜部 
【図１】
0006482055.tif 000002
【図２】
0006482055.tif 000003
【図３】
0006482055.tif 000004
【図４】
0006482055.tif 000005
【図５】
0006482055.tif 000006
【図６】
0006482055.tif 000007
【図７】
0006482055.tif 000008
【図８】
0006482055.tif 000009
【図９】
0006482055.tif 000010